【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
電力ケーブル用塗料であって、
（ａ）エチレンアルファ−オレフィンジエン弾性ターポリマー、及び、
（ｂ）少なくとも７のメルトインデックス比Ｉ１０／Ｉ２を有するエチレンアルファ−オレフィンコポリマー、
を含み、ここで、当該エチレンアルファ−オレフィンコポリマーが、エチレンアルファ−オレフィンジエン弾性ターポリマー及びエチレンアルファ−オレフィンコポリマーの重量に基づいて、３０重量パーセントより多い量で塗料中に存在する、当該塗料。
【請求項２】
エチレンアルファ−オレフィンコポリマーが７乃至１０のメルトインデックス比Ｉ１０／Ｉ２を有する、請求項１に記載の塗料。
【請求項３】
エチレンアルファ−オレフィンコポリマーが８乃至１０のメルトインデックス比Ｉ１０／Ｉ２を有する、請求項１に記載の塗料。
【請求項４】
エチレンアルファ−オレフィンコポリマーが少なくとも２０のメルトインデックス比Ｉ２１／Ｉ２を有する、請求項１に記載の塗料。
【請求項５】
エチレンアルファ−オレフィンコポリマーが２５乃至５０のメルトインデックス比Ｉ２１／Ｉ２を有する、請求項１に記載の塗料。
【請求項６】
エチレンアルファ−オレフィンコポリマーが３０乃至４０のメルトインデックス比Ｉ２１／Ｉ２を有する、請求項１に記載の塗料。
【請求項７】
エチレンアルファ−オレフィンコポリマーが、エチレンアルファ−オレフィンジエン弾性ターポリマー及びエチレンアルファ−オレフィンコポリマーの重量に基づいて、５０重量パーセントより多い量で塗料中に存在する、請求項１に記載の塗料。
【請求項８】
エチレンアルファ−オレフィンコポリマーが、エチレンアルファ−オレフィンジエン弾性ターポリマー及びエチレンアルファ−オレフィンコポリマーの重量に基づいて、３０乃至９０重量パーセントの量で塗料中に存在する、請求項１に記載の塗料。
【請求項９】
エチレンアルファ−オレフィンコポリマーが１０未満の分子量分布Ｍｗ／Ｍｎを有する、請求項１に記載の塗料。
【請求項１０】
エチレンアルファ−オレフィンコポリマーが５未満の分子量分布Ｍｗ／Ｍｎを有する、請求項１に記載の塗料。
【請求項１１】
エチレンアルファ−オレフィンコポリマーが３未満の分子量分布Ｍｗ／Ｍｎを有する、請求項１に記載の塗料。
【請求項１２】
エチレンアルファ−オレフィンコポリマーがエチレンと１−オクテンのコポリマーである、請求項１に記載の塗料。
【請求項１３】
エチレンアルファ−オレフィン弾性ターポリマーのジエンがビニルノルボルネンである、請求項１に記載の塗料。
【請求項１４】
エチレンアルファ−オレフィンジエン弾性ターポリマーが１．０未満の分枝インデックスを有する、請求項１に記載の塗料。
【請求項１５】
エチレンアルファ−オレフィンジエン弾性ターポリマーが０．７未満の分枝インデックスを有する、請求項１に記載の塗料。
【請求項１６】
エチレンアルファ−オレフィンジエン弾性ターポリマーが０．５未満の分枝インデックスを有する、請求項１に記載の塗料。
【請求項１７】
エチレンアルファ−オレフィンジエン弾性ターポリマーが３より大きい分子量分布Ｍｗ／Ｍｎを有する、請求項１に記載の塗料。
【請求項１８】
エチレンアルファ−オレフィンジエン弾性ターポリマーが１０より大きい分子量分布Ｍｗ／Ｍｎを有する、請求項１に記載の塗料。
【請求項１９】
エチレンアルファ−オレフィンジエン弾性ターポリマーが、５０乃至９０モル％のエチレン由来ユニット及び０．１乃至１．５モル％のジエン由来ユニットを有する、請求項１に記載の塗料。
【請求項２０】
電力ケーブル用塗料であって、
（ａ）１．０未満の分枝インデックス、及び３より大きい分子量分布Ｍｗ／Ｍｎを有するエチレンアルファ−オレフィンジエン弾性ターポリマー、及び、
（ｂ）少なくとも７のメルトインデックス比Ｉ１０／Ｉ２、及び少なくとも２０のメルトインデックス比Ｉ２１／Ｉ２を有するエチレンアルファ−オレフィンコポリマー、
を含み、ここで、当該エチレンアルファ−オレフィンコポリマーが、エチレンアルファ−オレフィンジエン弾性ターポリマー及びエチレンアルファ−オレフィンコポリマーの重量に基づいて、３０重量パーセントより多い量で塗料中に存在する、当該塗料。
【請求項２１】
エチレンアルファ−オレフィンコポリマーが７乃至１０のメルトインデックス比Ｉ１０／Ｉ２を有する、請求項２０に記載の塗料。
【請求項２２】
エチレンアルファ−オレフィンコポリマーが８乃至１０のメルトインデックス比Ｉ１０／Ｉ２を有する、請求項２０に記載の塗料。
【請求項２３】
エチレンアルファ−オレフィンコポリマーが２５乃至５０のメルトインデックス比Ｉ２１／Ｉ２を有する、請求項２０に記載の塗料。
【請求項２４】
エチレンアルファ−オレフィンコポリマーが３０乃至４０のメルトインデックス比Ｉ２１／Ｉ２を有する、請求項２０に記載の塗料。
【請求項２５】
エチレンアルファ−オレフィンコポリマーが、エチレンアルファ−オレフィンジエン弾性ターポリマー及びエチレンアルファ−オレフィンコポリマーの重量に基づいて、５０重量パーセントより多い量で塗料中に存在する、請求項２０に記載の塗料。
【請求項２６】
エチレンアルファ−オレフィンコポリマーが、エチレンアルファ−オレフィンジエン弾性ターポリマー及びエチレンアルファ−オレフィンコポリマーの重量に基づいて、３０乃至９０重量パーセントの量で塗料中に存在する、請求項２０に記載の塗料。
【請求項２７】
エチレンアルファ−オレフィンコポリマーが１０未満の分子量分布Ｍｗ／Ｍｎを有する、請求項２０に記載の塗料。
【請求項２８】
エチレンアルファ−オレフィンコポリマーが５未満の分子量分布Ｍｗ／Ｍｎを有する、請求項２０に記載の塗料。
【請求項２９】
エチレンアルファ−オレフィンコポリマーが３未満の分子量分布Ｍｗ／Ｍｎを有する、請求項２０に記載の塗料。
【請求項３０】
エチレンアルファ−オレフィンコポリマーがエチレンと１−オクテンのコポリマーである、請求項２０に記載の塗料。
【請求項３１】
エチレンアルファ−オレフィン弾性ターポリマーのジエンがビニルノルボルネンである、請求項２０に記載の塗料。
【請求項３２】
エチレンアルファ−オレフィンジエン弾性ターポリマーが０．７未満の分枝インデックスを有する、請求項２０に記載の塗料。
【請求項３３】
エチレンアルファ−オレフィンジエン弾性ターポリマーが０．５未満の分枝インデックスを有する、請求項２０に記載の塗料。
【請求項３４】
エチレンアルファ−オレフィンジエン弾性ターポリマーが１０より大きい分子量分布Ｍｗ／Ｍｎを有する、請求項２０に記載の塗料。
【請求項３５】
エチレンアルファ−オレフィンジエン弾性ターポリマーが、５０乃至９０モル％のエチレン由来ユニット及び０．１乃至１．５モル％のジエン由来ユニットを有する、請求項２０に記載の塗料。
【請求項３６】
電力ケーブル用塗料であって、
（ａ）エチレンアルファ−オレフィンビニルノルボルネン弾性ターポリマー、及び、
（ｂ）少なくとも７のメルトインデックス比Ｉ１０／Ｉ２を有するエチレンアルファ−オレフィンコポリマー、
を含み、ここで、当該エチレンアルファ−オレフィンコポリマーが、エチレンアルファ−オレフィンビニルノルボルネン弾性ターポリマー及びエチレンアルファ−オレフィンコポリマーの重量に基づいて、３０重量パーセントより多い量で塗料中に存在する、当該塗料。
【請求項３７】
電力ケーブル用塗料であって、
（ａ）１．０未満の分枝インデックス、及び３より大きい分子量分布Ｍｗ／Ｍｎを有するエチレンアルファ−オレフィンビニルノルボルネン弾性ターポリマー、及び、
（ｂ）少なくとも７のメルトインデックス比Ｉ１０／Ｉ２、及び少なくとも２０のメルトインデックス比Ｉ２１／Ｉ２を有するエチレンアルファ−オレフィンコポリマー、
を含み、ここで、当該エチレンアルファ−オレフィンコポリマーが、エチレンアルファ−オレフィンビニルノルボルネン弾性ターポリマー及びエチレンアルファ−オレフィンコポリマーの重量に基づいて、３０重量パーセントより多い量で塗料中に存在する、当該塗料。
【請求項３８】
導電性デバイスであって、
（ａ）導電性部分、及び、
（ｂ）電気絶縁性部分であって、
（i）エチレンアルファ−オレフィンジエン弾性ターポリマー、及び、
（ii）少なくとも７のメルトインデックス比Ｉ１０／Ｉ２を有するエチレンアルファ−オレフィンコポリマー、
を含み、ここで、当該エチレンアルファ−オレフィンコポリマーが、エチレンアルファ−オレフィンジエン弾性ターポリマー及びエチレンアルファ−オレフィンコポリマーの重量に基づいて、３０重量パーセントより多い量で塗料中に存在する、当該電気絶縁性部分、
を含む、当該導電性デバイス。
【請求項３９】
塗料が１００ｒｐｍ及び１２５℃で押出された試料から測定した押出プロファイル（当該押出プロファイルは、平均押出物表面線からの複数の正と負の垂直偏差を有する）を有する押出塗料であって、ここで、当該押出塗料は２０未満の表面荒さ係数Ｒを有し、Ｒは、
Ｒ＝Ｒａ＋０．１Ｒｔ
によって定義されるものであり、Ｒａは、平均押出物表面線からの平均絶対垂直偏差であり、及び、Ｒｔは、平均押出物表面線からの正の最大垂直偏差と平均押出物表面線からの負の最大垂直偏差との絶対垂直差である、請求項３８に記載の導電性デバイス。
【請求項４０】
表面荒さ係数Ｒが１５未満である、請求項３９に記載の導電性デバイス。
【請求項４１】
表面荒さ係数Ｒが１０未満である、請求項３９に記載の導電性デバイス。
【請求項４２】
デバイスが中圧電力用ケーブルである、請求項３９に記載の導電性デバイス。
【請求項４３】
導電性デバイスであって、
（ａ）導電性部分、及び、
（ｂ）電気絶縁性部分であって、
（i）１．０未満の分枝インデックス、及び３より大きい分子量分布Ｍｗ／Ｍｎを有するエチレンアルファ−オレフィンジエン弾性ターポリマー、及び、
（ii）少なくとも７のメルトインデックス比Ｉ１０／Ｉ２、及び少なくとも２０のメルトインデックス比Ｉ２１／Ｉ２を有するエチレンアルファ−オレフィンコポリマー、
を含み、ここで、当該エチレンアルファ−オレフィンコポリマーが、エチレンアルファ−オレフィンジエン弾性ターポリマー及びエチレンアルファ−オレフィンコポリマーの重量に基づいて、３０重量パーセントより多い量で塗料中に存在する、当該電気絶縁性部分、
を含む、当該導電性デバイス。
【請求項４４】
塗料が１００ｒｐｍ及び１２５℃で押出された試料から測定した押出プロファイル（当該押出プロファイルは、平均押出物表面線からの複数の正と負の垂直偏差を有する）を有する押出塗料であって、ここで、当該押出塗料は２０未満の表面荒さ係数Ｒを有し、Ｒは、
Ｒ＝Ｒａ＋０．１Ｒｔ
によって定義されるものであり、Ｒａは、平均押出物表面線からの平均絶対垂直偏差であり、及び、Ｒｔは、平均押出物表面線からの正の最大垂直偏差と平均押出物表面線からの負の最大垂直偏差との絶対垂直差である、請求項４３に記載の導電性デバイス。
【請求項４５】
表面荒さ係数Ｒが１５未満である、請求項４４に記載の導電性デバイス。
【請求項４６】
表面荒さ係数Ｒが１０未満である、請求項４４に記載の導電性デバイス。
【請求項４７】
デバイスが中圧電力用ケーブルである、請求項４４に記載の導電性デバイス。
【請求項４８】
導電性デバイスであって、
（ａ）導電性部分、及び、
（ｂ）電気絶縁性部分であって、
（i）エチレンアルファ−オレフィンビニルノルボルネン弾性ターポリマー、及び、
（ii）少なくとも７のメルトインデックス比Ｉ１０／Ｉ２を有するエチレンアルファ−オレフィンコポリマー、
を含み、ここで、当該エチレンアルファ−オレフィンコポリマーが、エチレンアルファ−オレフィンビニルノルボルネン弾性ターポリマー及びエチレンアルファ−オレフィンコポリマーの重量に基づいて、３０重量パーセントより多い量で塗料中に存在する、当該電気絶縁性部分、
を含む、当該導電性デバイス。
【請求項４９】
塗料が１００ｒｐｍ及び１２５℃で押出された試料から測定した押出プロファイル（当該押出プロファイルは、平均押出物表面線からの複数の正と負の垂直偏差を有する）を有する押出塗料であって、ここで、当該押出塗料は２０未満の表面荒さ係数Ｒを有し、Ｒは、
Ｒ＝Ｒａ＋０．１Ｒｔ
によって定義されるものであり、Ｒａは、平均押出物表面線からの平均絶対垂直偏差であり、及び、Ｒｔは、平均押出物表面線からの正の最大垂直偏差と平均押出物表面線からの負の最大垂直偏差との絶対垂直差である、請求項４８に記載の導電性デバイス。
【請求項５０】
表面荒さ係数Ｒが１５未満である、請求項４９に記載の導電性デバイス。
【請求項５１】
表面荒さ係数Ｒが１０未満である、請求項４９に記載の導電性デバイス。
【請求項５２】
デバイスが中圧電力用ケーブルである、請求項４９に記載の導電性デバイス。
【請求項５３】
導電性デバイスであって、
（ａ）導電性部分、及び、
（ｂ）電気絶縁性部分であって、
（i）１．０未満の分枝インデックス、及び３より大きい分子量分布Ｍｗ／Ｍｎを有するエチレンアルファ−オレフィンビニルノルボルネン弾性ターポリマー、及び、
（ii）少なくとも７のメルトインデックス比Ｉ１０／Ｉ２、及び少なくとも２０のメルトインデックス比Ｉ２１／Ｉ２を有するエチレンアルファ−オレフィンコポリマー、
を含み、ここで、当該エチレンアルファ−オレフィンコポリマーが、エチレンアルファ−オレフィンビニルノルボルネン弾性ターポリマー及びエチレンアルファ−オレフィンコポリマーの重量に基づいて、３０重量パーセントより多い量で塗料中に存在する、当該電気絶縁性部分、
を含む、当該導電性デバイス。
【請求項５４】
塗料が１００ｒｐｍ及び１２５℃で押出された試料から測定した押出プロファイル（当該押出プロファイルは、平均押出物表面線からの複数の正と負の垂直偏差を有する）を有する押出塗料であって、ここで、当該押出塗料は２０未満の表面荒さ係数Ｒを有し、Ｒは、
Ｒ＝Ｒａ＋０．１Ｒｔ
によって定義されるものであり、Ｒａは、平均押出物表面線からの平均絶対垂直偏差であり、及び、Ｒｔは、平均押出物表面線からの正の最大垂直偏差と平均押出物表面線からの負の最大垂直偏差との絶対垂直差である、請求項５３に記載の導電性デバイス。
【請求項５５】
表面荒さ係数Ｒが１５未満である、請求項５４に記載の導電性デバイス。
【請求項５６】
表面荒さ係数Ｒが１０未満である、請求項５４に記載の導電性デバイス。
【請求項５７】
デバイスが中圧電力用ケーブルである、請求項５４に記載の導電性デバイス。